(57)【要約】【課題】入力軸１０と出力軸２１が７０度角位まで曲がると抵抗よりもひっかかりがあるのでタイヤが回転しないのでひっかかりを無くす。【解決手段】十字１４を介して１方に入力十字支持２を設け他方に出力十字支持１２を設け、入力十字支持２と入力軸を回転自由に結合し、出力十字支持１２と出力軸２１を回転自由に結合し、入力軸１０とスライド回転外４の間に入力側リング７を設けて各各内ピン８、１１、外ピン９、２８で支持し、出力軸２１とスライド回転内１の間に出力側リング１７を設けて各各内ピン２２、１８、外ピン２４、２７で支持し、スライド回転内１とスライド回転外４がスライド可で回転を伝える事が出来る事とする。【選択図】図１
2008224022.tif 000002
【特許請求の範囲】
【請求項１】
入力軸（１０）に内ピン（８）、（１１）を設けて内ピンに回転自由に入力側リング（７）を設け、入力側リング（７）に内ピン（８）、（１１）の位置と９０度角の位置に外ピン（９）、（２８）を設け外ピンをスライド回転外（４）に回転自由に嵌め、スライド回転外（４）の内側にひっかかりを設け、スライド回転内（１）の外側にもひっかかりを設けてスライド回転外（４）とスライド回転内（１）がスライド可のひっかかりとし、スライド回転内と出力側リング（１７）を外ピン（２４）、（２７）を介して回転自由に支持し、出力側リング（１７）に外ピンの位置より９０度角度を設けた所に内ピン（１８）、（２２）と回転自由に設けて内ピンと出力軸を固着し、入力軸（１０）と入力十字支持（２）及び出力軸（２１）を出力十字支持（１２）を回転自由に結合した事を特徴とした７０度角自在継手。
【請求項２】
入力軸（１０）から内ピンを介して入力側リング（７）、それから外ピンを介してスライド回転外（４）そしてスライド回転内（１）そして外ピンを介して出力側リング（１７）そして内ピンを介して出力軸と回転力を伝える手段と入力軸の芯と出力軸の芯の交差点が伸縮しない手段と２つの手段を組み合わせた事を特徴とした７０度角自在継手。
【発明の詳細な説明】
【技術分野】
【０００１】自動車の自在継手が７０度角に曲がっても回転力を伝える事に関するものである。
【背景技術】
【０００２】今までの自在継手は３０度角位までしか曲がらなかった
【発明の開示】
【発明が解決しようとする課題】
【０００３】入力軸の芯と出力軸の芯が交差する点がどの角度にあっても移動しない事それから入力軸芯線と出力軸芯線の角度が７０度位いになっても入力軸の回転手段が出力軸の回転手段にひっかからない事。
【課題を解決するための手段】
【０００４】入力軸に２個所対称的に内ピンを固着させ、内ピンに回転自由に入力側リングを支持し、内ピンの位置と入力側リングに固着する外ピンの位置を９０度角度をもたせて２個所設け、外ピンをスライド回転外に穴をあけて回転自由に嵌める。スライド回転外の内側にひっかかりの凹凸を設け、出力側のスライド回転内の外側にひっかかりの凹凸を設けて各各の凹凸を互いにひっかけ合うそしてスライド可とする。【０００５】スライド回転内の芯を挟んで対称的に穴をあけ出力側リングに固定した外ピンを回転自由に嵌める。外ピンの位置と９０度角度をもたせた所の出力側リングに穴を設けて穴に出力軸に固着した内ピンを回転自由に嵌める。【０００６】入力十字支持の根元と入力軸が回転自由に結合し、入力十字支持の先の方に十字の１方を回転自由に支持し十字の他方向を回転自由に出力十字支持の先の方で回転自由に支持し出力十字支持の根元と出力軸が回転自由に結合する。
【発明の効果】
【０００７】入力軸と出力軸の曲げ角が大きくなった時十字継手に抵抗がしだいに大きくなりそしてひっかかり抵抗になるので回転が止まってしまうので入力軸及び出力軸と十字継手が回転自由にするため回転の抵抗がなくなるその替り入力側と出力側にｘ軸方向とｙ軸方向に曲がりながら回転手段を伝えそしてその回転具が伸縮する事により出力軸がどの位置にあっても入力軸と出力軸の角度が７０度角位まで回転力を伝えられる。
【発明を実施するための最良の形態】
【０００８】入力軸１０の芯を対称的に２個所内ピン８、１１を固着し、内ピン８、１１に入力側リング、７を支持させて内ピンの頭を太くし、入力側リング、７に内ピン、８、１１と９０度角度を設けた所に外ピン、９、２８を固着し、外ピン、９、２８にスライド回転外４を支持させ、スライド回転外４の内側に凹凸のひっかかりを設け、スライド回転内１の外側にも凹凸を設けて互いにひっかけ合わせる。【０００９】スライド回転内１の端に２個所芯を挟んで対称的に穴を設け穴に出力側リング、１７に固着した外ピン、２４、２７を入れて外ピンの頭を大きくする。外ピンの位置と９０度角度をもたせた所の出力側リング、１７、に穴を設けて穴に出力軸、２１、に固着した内ピン、１８、２２、を回転自由に入れる。【００１０】入力軸、１０、と入力十字支持、２、の根元が回転自在に結合し２つの入力十字支持の先の方に穴を設けて十字の１方向の軸を回転自由に入れ、十字の他方向の軸を２つの出力十字支持、１２、の先の方に穴を設けて回転自由に入れる。出力十字支持、１２、の根元と出力軸２１を回転自由に結合する。
【実施例】
【００１１】入力十字支持２の根元に溝を設けて溝に入力軸、１０からのひっかかり３、５をひっかけて入力十字支持と入力軸、１０、を回転自由に結合する。２つの入力十字支持の先の方と２つの出力十字支持１２の先の方を十字１４を介して各各回転自由に結合する。出力十字支持１２の根元に溝を設けて出力軸２１からのひっかかり６、１５でひっかけて出力十字支持１２と出力軸２１を回転自由に結合する。【００１２】入力軸１０に固着した内ピン８、１１で入力側リング、７、を回転自由に支持し、内ピンの位置と９０度角度を設けた入力側リングの所とスライド回転外４を外ピン２８、９を介してどちらか１方を外ピンと固着し他方を外ピンと回転自由に結合する。スライド回転外４とスライド回転内１の互にひっかかり合う凹凸は細く長くした方が良い。【００１３】スライド回転内１の芯を挟んで対称的に２個所外ピンの位置にし出力側リング、１７、とどちらか１方を外ピン２４、２７と固着し他方に穴をあけて外ピンを通し回転自由として外ピン頭を太くする。外ピン２４、２７の位置と９０度角度を設けた所の出力側リング、１７、に穴を設けて出力軸２１に固着した内ピン１８、２２を穴に通して回転自由にして頭を太くする。
【産業上の利用可能性】
【００１４】自動車の前輪駆動の自在継手
【図面の簡単な説明】
【００１５】
【図１】７０度角自在継手の全体図
【図２】Ａ−Ａ断面図
【図３】Ｂ−Ｂ断面図
【符号の説明】
【００１６】スライド回転内      １
入力十字支持        ２
ひっかかり          ３、５、６、１５
スライド回転外      ４
入力側リング        ７
内ピン              ８、１１、１８、２２
外ピン              ９、２８、２４、２７
入力軸              １０
出力十字支持        １２
十字                １４
出力側リング        １７
出力軸              ２１
【図１】
2008224022.tif 000003
【図２】
2008224022.tif 000004
【図３】
2008224022.tif 000005
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
入力軸（１０）に内ピン（８）、（１１）を設けて内ピンに回転自由に入力側リング（７）を設け、入力側リング（７）に内ピン（８）、（１１）の位置と９０度角の位置に外ピン（９）、（２８）を設け外ピンをスライド回転外（４）に回転自由に嵌め、スライド回転外（４）の内側にひっかかりを設け、スライド回転内（１）の外側にもひっかかりを設けてスライド回転外（４）とスライド回転内（１）がスライド可のひっかかりとし、スライド回転内と出力側リング（１７）を外ピン（２４）、（２７）を介して回転自由に支持し、出力側リング（１７）に外ピンの位置より９０度角度を設けた所に内ピン（１８）、（２２）と回転自由に設けて内ピンと出力軸を固着し、入力軸（１０）と入力十字支持（２）及び出力軸（２１）と出力十字支持（１２）を回転自由に結合した事を特徴とした７０度角自在継手。
【請求項２】
入力軸（１０）から内ピンを介して入力側リング（７）、それから外ピンを介してスライド回転外（４）そしてスライド回転内（１）そして外ピンを介して出力側リング（１７）そして内ピンを介して出力軸と回転力を伝える手段と入力軸の芯と出力軸の芯の交差点が移動しない手段と２つの手段を組み合わせた事を特徴とした請求項１記載の７０度角自在継手。